(57)【要約】【課題】膨大な数の技術文献データを効率的に閲覧可能とする。【解決手段】本発明の一態様の技術文献管理装置１は、抽出条件を入力する入力手段７、技術文献データＤ１〜Ｄｋを記憶する文献記憶手段３、技術文献データＤ１〜Ｄｋから抜き出された一部のデータを含む抄録データＥ１〜Ｅｍを記憶する抄録記憶手段４、抽出条件を満たすデータが抄録記憶手段４に記憶されている場合、抽出条件を満たすデータを抄録記憶手段４から読み出し、抽出条件を満たすデータが抄録記憶手段４に記憶されてない場合、抽出条件を満たすデータを文献記憶手段３から読み出すとともに抄録データとして抄録記憶手段４に記憶する抽出手段１０ｂ、抽出手段１０ｂによって抄録記憶手段４から抽出されたデータ又は抽出手段１０ｂによって文献記憶手段３から抽出されたデータを表示する表示手段８を具備する【選択図】      図１
2007102708.tif 000002
【特許請求の範囲】
【請求項１】
抽出条件を入力する入力手段と、
複数の技術文献データを記憶する文献記憶手段と、
前記複数の技術文献データから抜き出された一部のデータを含む抄録データを記憶する抄録記憶手段と、
前記入力手段によって入力された抽出条件を満たすデータが前記抄録記憶手段に記憶されている場合、前記抽出条件を満たすデータを前記抄録記憶手段から読み出す第１抽出手段と、
前記入力手段によって入力された抽出条件を満たすデータが前記抄録記憶手段に記憶されてない場合、前記抽出条件を満たすデータを前記文献記憶手段から読み出すとともに前記抄録データとして前記抄録記憶手段に記憶する第２抽出手段と、
前記第１抽出手段によって前記抄録記憶手段から抽出されたデータ又は前記第２抽出手段によって前記文献記憶手段から抽出されたデータを表示する表示手段と
を具備する技術文献管理装置。
【請求項２】
請求項１記載の技術文献管理装置において、
前記入力手段は、解析条件を入力し、
前記第１抽出手段は、前記入力手段によって入力された解析条件を用いる解析処理で必要とされるデータが前記抄録記憶手段に記憶されている場合、前記解析処理で必要とされるデータを前記抄録記憶手段から読み出し、
前記第２抽出手段は、前記解析処理で必要とされるデータが前記抄録記憶手段に記憶されてない場合、前記解析処理で必要とされるデータを前記文献記憶手段から読み出すとともに前記抄録データとして前記抄録記憶手段に記憶し、
前記入力手段によって入力された解析条件と、前記第１抽出手段又は前記第２抽出手段によって抽出された前記解析処理で必要とされるデータとに基づいて、前記解析処理を実行し、解析結果データを解析結果記憶手段に記憶する解析手段をさらに具備し、
前記表示手段は、前記解析結果記憶手段に記憶されている解析結果データを表示する
ことを特徴とする技術文献管理装置。
【請求項３】
請求項２記載の技術文献管理装置において、
前記技術文献データは、少なくとも出願人と出願日と技術分野を含む書誌情報を含む特許に関する特許データであり、
前記解析手段は、前記入力手段によって入力された解析条件の示す技術分野について、出願人数と出願件数と出願時期との関係に基づいて出願人数−出願件数の推移を示すマップデータを前記解析結果データとして作成する
ことを特徴とする技術文献管理装置。
【請求項４】
請求項２記載の技術文献管理装置において、
前記技術文献データは、少なくとも出願日と技術分野を含む書誌情報を含む特許に関する特許データであり、
前記解析手段は、前記入力手段によって入力された解析条件の示す技術分野について、出願件数と出願件数の伸び率と出願時期との関係に基づいて出願件数−出願件数の伸び率の推移を示すマップデータを前記解析結果データとして作成する
ことを特徴とする技術文献管理装置。
【請求項５】
請求項３又は請求項４記載の技術文献管理装置において、
前記特許データは、前記書誌情報に加えて、発明の名称、特許請求の範囲、発明の詳細な説明、図面、要約を含む複数の項目に関する項目データを含むことを特徴とする技術文献管理装置。
【請求項６】
請求項５記載の技術文献管理装置において、
前記複数の項目データのうちの一つは、審査経過情報を表すデータであることを特徴とする技術文献管理装置。
【請求項７】
請求項１乃至請求項６のいずれか１項記載の技術文献管理装置において、
前記文献記憶手段は、前記複数の技術文献データを、所属するグループが識別可能な状態で記憶し、
前記抄録記憶手段は、前記複数の抄録データを、所属するグループが識別可能な状態で記憶し、
前記入力手段は、グループの指定を入力し、
前記第１抽出手段は、前記入力手段により指定されたグループに属しており前記抽出条件を満たすデータが前記抄録記憶手段に記憶されている場合、前記入力手段により指定されたグループに属しており前記抽出条件を満たすデータを前記抄録記憶手段から読み出し、
前記第２抽出手段は、前記入力手段により指定されたグループに属しており前記抽出条件を満たすデータが前記抄録記憶手段に記憶されていない場合、前記入力手段により指定されたグループに属しており前記抽出条件を満たすデータを前記文献記憶手段から読み出すとともに前記抄録データとして前記抄録記憶手段に記憶する
ことを特徴とする技術文献管理装置。
【請求項８】
請求項１乃至請求項７のいずれか１項記載の技術文献管理装置において、
前記第２抽出手段は、同一の技術文献データから抜き出されたデータを互いに関連付けて抄録データとして前記抄録記憶手段に記憶することを特徴とする技術文献管理装置。
【請求項９】
請求項１乃至請求項８のいずれか１項記載の技術文献管理装置において、
前記文献記憶手段に記憶されている複数の技術文献データの所定の項目データにより、複数の初期の抄録データを作成し、前記抄録記憶手段に記憶する抄録作成手段をさらに具備することを特徴とする技術文献管理装置。
【請求項１０】
請求項１乃至請求項８のいずれか１項記載の技術文献管理装置において、
前記文献記憶手段に記憶されている複数の技術文献データから、前記入力手段によって入力された抄録作成条件を満たす項目データを抽出して複数の初期の抄録データを作成し、前記抄録記憶手段に記憶する抄録作成手段をさらに具備することを特徴とする技術文献管理装置。
【請求項１１】
請求項１乃至請求項１０のいずれか１項記載の技術文献管理装置において、
前記第１抽出手段と前記第２抽出手段とは、前記技術文献データに含まれている全てのデータを取り扱い可能に作り込まれている専用ブラウザとプロセッサにより実現されることを特徴とする技術文献管理装置。
【請求項１２】
請求項１１記載の技術文献管理装置において、
サーバとクライアントとを具備し、
前記文献記憶手段は、前記サーバに具備され、
前記入力手段と前記抄録記憶手段と前記出力手段とは、前記クライアントに具備され、
前記専用ブラウザは、前記クライアントの入力手段を操作するユーザからの要求にしたがって前記サーバから前記クライアントにダウンロードされる
ことを特徴とする技術文献管理装置。
【請求項１３】
請求項１乃至請求項１２のいずれか１項記載の技術文献管理装置において、
前記複数の技術文献データから抜き出されたデータは、それぞれカードデータとして独立して利用可能であり、
前記表示手段は、前記カードデータを組み合わせたデータを表示する
ことを特徴とする技術文献管理装置。
【請求項１４】
コンピュータを、
複数の技術文献データから抜き出された一部のデータを含む抄録データを記憶する抄録記憶装置をアクセスし、入力装置によって入力された抽出条件を満たすデータが抄録記憶装置に記憶されている場合、前記抽出条件を満たすデータを前記抄録記憶装置から読み出す第１抽出手段、
前記入力装置によって入力された抽出条件を満たすデータが前記抄録記憶装置に記憶されてない場合、前記複数の技術文献データを記憶する文献記憶装置から前記抽出条件を満たすデータを読み出すとともに前記抄録データとして前記抄録記憶装置に記憶する第２抽出手段、
前記第１抽出手段によって前記抄録記憶装置から抽出されたデータ又は前記第２抽出手段によって前記文献記憶装置から抽出されたデータを表示装置に表示させるための制御を行う表示制御手段
として機能させるためのプログラム。
【請求項１５】
コンピュータによる技術文献管理方法において、
複数の技術文献データから抜き出された一部のデータを含む抄録データを記憶する抄録記憶装置をアクセスし、
入力装置によって入力された抽出条件を満たすデータが抄録記憶装置に記憶されている場合、前記抽出条件を満たすデータを前記抄録記憶装置から読み出し、前記入力装置によって入力された抽出条件を満たすデータが前記抄録記憶装置に記憶されてない場合、前記複数の技術文献データを記憶する文献記憶装置から前記抽出条件を満たすデータを読み出すとともに前記抄録データとして前記抄録記憶装置に記憶し、
前記抄録記憶装置から抽出されたデータ又は前記文献記憶装置から抽出されたデータを表示装置に表示させるための制御を行う
ことを特徴とする技術文献管理方法。
【発明の詳細な説明】
【技術分野】
【０００１】
本発明は、複数の技術文献データの中から抽出条件を満たすデータを読み出して表示するための技術文献管理装置及びプログラム並びに技術文献管理方法に関する。
【背景技術】
【０００２】
特許に関する情報の記載されている特許データをデータベースに記憶し、ユーザから入力された検索キーワードにヒットした特許データを抽出するシステムが広く利用されている。
【０００３】
近年では、インターネットの普及により、ユーザは、Ｗｅｂブラウザを用いて特許庁のＷｅｂサイトや特許データベースの運営者のＷｅｂサイトをアクセスし、検索を行い、ヒットした特許データを閲覧することが可能である。
【特許文献１】特開２００５−１４１４４５
【特許文献２】特開２００５−１４１５８６
【発明の開示】
【発明が解決しようとする課題】
【０００４】
しかしながら、特許データの数は膨大であり、今後も増加するため、ユーザは自身の望む検索結果を得るために複雑な検索式を考え、入力する必要がある。入力された検索式が適切でない場合、ユーザの望む検索結果を得ることは困難である。他方、必要なデータの検索漏れが発生する場合もある。さらに、検索結果に不要なデータ（検索ノイズ）が多く含まれることによりユーザの検索結果の確認作業に労力がかかるという問題もある。
【０００５】
特許データの数は膨大であるが、特許分野の専門家のみならず一般の研究者、開発者であっても容易に特許データを検索し利用可能であることが望ましい。
【０００６】
特許データは、各技術分野の動向を反映する極めて有効な情報であるため、この特許データの解析を効果的に実現するツールの開発が望まれている。
【０００７】
本発明は、以上のような実情に鑑みてなされたもので、例えば特許データ、実用新案データなどのような技術文献データを有効に活用する環境を提供する技術文献管理装置及びプログラム並びに技術文献管理方法を提供することを目的とする。
【課題を解決するための手段】
【０００８】
本発明の第１態様において、技術文献管理装置は、抽出条件を入力する入力手段と、複数の技術文献データを記憶する文献記憶手段と、複数の技術文献データから抜き出された一部のデータを含む抄録データを記憶する抄録記憶手段と、入力手段によって入力された抽出条件を満たすデータが抄録記憶手段に記憶されている場合、抽出条件を満たすデータを抄録記憶手段から読み出す第１抽出手段と、入力手段によって入力された抽出条件を満たすデータが抄録記憶手段に記憶されてない場合、抽出条件を満たすデータを文献記憶手段から読み出すとともに抄録データとして抄録記憶手段に記憶する第２抽出手段と、第１抽出手段によって抄録記憶手段から抽出されたデータ又は第２抽出手段によって文献記憶手段から抽出されたデータを表示する表示手段とを具備する。
【０００９】
なお、上記の各態様は装置として表現されている。しかしながら、これに限らず、上記の各態様は、プログラム、コンピュータ読み取り可能な記憶媒体、方法などで表現されるとしてもよい。
【発明の効果】
【００１０】
本発明により、技術文献データを有効に活用する環境を提供することができる。
【発明を実施するための最良の形態】
【００１１】
以下、図面を参照しながら本発明の実施の形態について説明する。なお、以下の各図において同一の部分については同一の符号を付して説明を省略する。
【００１２】
以下の各実施の形態では、技術文献データが特許データ（特許文献に係るデータ）の場合を例として説明する。しかしながら、この特許データに代えて実用新案に関する情報の記載された実用新案データ、技術に関する学会の学会誌データなどを扱うとしてもよい。特許データとしては例えば特許公報、公開特許公報などの電子データが含まれ、実用新案データとしては例えば実用新案の登録公報の電子データが含まれる。
【００１３】
（第１の実施の形態）
図１は、本実施の形態に係る技術文献管理装置の一例を示すブロック図である。
【００１４】
技術文献管理装置１は、例えばプロセッサ、ＣＰＵなどの演算部２、文献記憶装置３、抄録記憶装置４、抽出記憶装置５、解析結果記憶装置６、入力装置７、表示装置８を具備する。文献記憶装置３、抄録記憶装置４、抽出記憶装置５、解析結果記憶装置６としては、例えば内部メモリ、ハードディスク、データベースなどを用いることができる。
【００１５】
技術文献管理装置１は、記録媒体９に記録されている技術文献管理プログラム９ａを読み出し、実行する。技術文献管理プログラム９ａは、技術文献管理装置１に読み込まれ、演算部２によってその内容が実行されることにより、専用ブラウザ１０として機能する。
【００１６】
さらに、専用ブラウザ１０は、抄録作成部１０ａ、抽出部１０ｂ、解析部１０ｃ、表示制御部１０ｄ、データ追加部１０ｅとしての機能を実現する。この専用ブラウザ１０の機能はＷｅｂブラウザを用いて実現されるとしてもよい。
【００１７】
文献記憶装置３は、特許データＤ１〜Ｄｋを、所属するグループが識別可能な状態で記憶する。例えば、文献記憶装置３は、同一のグループに属する特許データに対して、このグループを表す識別情報（フラグ情報）を付して記憶する。
【００１８】
各特許データＤ１〜Ｄｋは、書誌情報、発明の名称、特許請求の範囲、発明の詳細な説明、発明の効果、要約、図面などの複数の項目にしたがって記述されている。本実施の形態において、各特許データＤ１〜Ｄｋは、各項目データが相互にリンクされることにより構成されているとする。
【００１９】
本実施の形態において、文献記憶装置３には、技術分野、事業担当部門、出願人などの各種のグループＧ１〜Ｇｍに分類された特許データＤ１〜Ｄｋが記憶されるとする。本実施の形態においては、一つの特許データが複数のグループに属するとしてもよい。
【００２０】
この図１では、特許データＤ１〜Ｄｋは、それぞれグループＧ１〜Ｇｍに分類された場合を例示している。
【００２１】
抄録記憶装置４は、文献記憶装置３に記憶されている複数の特許データＤ１〜Ｄｋから抜き出された一部のデータを含む抄録データＥ１〜Ｅｍを、所属するグループが識別可能な状態で記憶する。
【００２２】
入力装置７は、ユーザから、例えば、表示したいデータを特定する抽出条件（例えば検索キーワードなど）、例えばグラフ表示における縦軸と横軸の種類などのような実行したい解析処理とその解析処理に必要な条件とを特定する解析条件、初期の抄録データを作成する場合にどのようなデータを初期の抄録データに含めるかを特定する抄録作成条件、データの表示態様を特定する表示条件などを入力する。
【００２３】
また、入力装置７は、ユーザから、例えば、メモ入力されたデータなどのような抄録記憶装置４に追加しておきたいデータを入力し、また、作成されたパテントマップの指定などのような抄録記憶装置４に追加しておきたいデータの指定などを入力する。
【００２４】
専用ブラウザ１０は、特許データＤ１〜Ｄｋのいずれかの項目について異なるデータ形式が採用されている場合であっても、特許データＤ１〜Ｄｋの全ての項目データのデータ形式を取り扱い可能に作り込まれている。例えば、特許データＤ１〜Ｄｋのうち書誌情報、発明の名称、特許請求の範囲、発明の詳細な説明、要約はテキストデータであり、図面はイメージデータの場合であっても、専用ブラウザ１０はテキストデータもイメージデータも双方とも取り扱い可能とする。
【００２５】
抄録作成部１０ａは、文献記憶装置３に記憶されている特許データＤ１〜Ｄｋをアクセスし、グループＧ１〜Ｇｍごとに、ユーザの操作する入力装置７から入力された抄録作成条件を満たすデータを特許データＤ１〜Ｄｋの中から抽出する。
【００２６】
そして、抄録作成部１０ａは、グループＧ１〜Ｇｍごとに、抽出されたデータから構成される初期の抄録データを作成し、グループＧ１〜Ｇｍごとに作成された初期の抄録データを抄録記憶装置４に記憶する。
【００２７】
なお、抄録作成部１０ａは、初期の抄録データを、例えば、ユーザに任意に指定されたデータを集めて作成してもよく、予め設定されている所定のデータを集めて作成してもよく、テキストデータなどの所定のデータ種類のデータを集めて構成してもよい。
【００２８】
本実施の形態では、特許データＤ１〜Ｄｋのうち、書式情報、発明の名称、特許請求の範囲、要約の項目データが、初期の抄録データに含まれるとする。
【００２９】
抽出部１０ｂは、入力装置７によって入力された抽出条件を満たすデータが抄録記憶装置４に記憶されている場合、抽出条件を満たすデータ５ａを抄録記憶装置４から読み出し、抽出記憶装置５にこの抽出条件を満たすデータ５ａを記憶する第１の機能を具備する。
【００３０】
さらに、この抽出部１０ｂの第１の機能は、入力装置７によって入力された解析条件を用いる解析部１０ｃの解析処理において必要とされるデータが抄録記憶装置４に記憶されている場合、解析部１０ｃの解析処理で必要とされるデータを抄録記憶装置４から読み出し、抽出記憶装置５にこの解析処理で必要とされるデータ５ｂを記憶する。
【００３１】
また、抽出部１０ｂは、入力装置７によって入力された抽出条件を満たすデータが抄録記憶装置４に記憶されてない場合、抽出条件を満たすデータを文献記憶装置３から読み出し、抽出記憶装置５にこの抽出条件を満たすデータ５ａを記憶するとともに、この抽出条件を満たすデータ５ａを抄録データとして抄録記憶装置４に記憶する（例えば、読み出したデータを抄録データに加えて記憶する、あるいは読み出したデータを抄録データと関連付けて記憶する）第２の機能を具備する。
【００３２】
さらに、この抽出部１０ｂの第２の機能は、解析部１０ｃの解析処理で必要とされるデータが抄録記憶装置４に記憶されてない場合、解析部１０ｃの解析処理で必要とされるデータを文献記憶装置３から読み出し、抽出記憶装置５にこの解析処理で必要とされるデータ５ｂを記憶するとともに、この解析処理で必要とされるデータ５ｂを抄録データとして抄録記憶装置４に記憶する。
【００３３】
この抽出部１０ｂの動作により、専用ブラウザ１０によるデータ抽出が行われるにつれて抄録記憶装置４に記憶されているデータの内容を充実させることができる。
【００３４】
解析部１０ｃは、ユーザの操作する入力装置７から入力された解析条件と、抽出部１０ｂによって抄録記憶装置４又は文献記憶装置３から抽出され抽出記憶装置５に記憶されている解析処理で必要とされるデータ５ｂとに基づいて、解析処理を実行し、この解析処理によって得られた解析結果データ６ａを解析結果記憶装置６に記憶する。
【００３５】
表示制御部１０ｄは、抽出部１０ｂによって抄録記憶装置４又は文献記憶装置３から読み出され抽出記憶装置５に記憶されている抽出条件を満たすデータ５ａ又は解析結果記憶装置６に記憶されている解析結果データ６ａを表示装置８に表示させるための制御を実行する。
【００３６】
また、表示制御部１０ｄは、入力装置７によって入力された表示条件を満たす形式で、抽出記憶装置５に記憶されている抽出条件を満たすデータ５ａ又は解析結果記憶装置６に記憶されている解析結果データ６ａを表示装置８に表示させる。
【００３７】
例えば、特許データＤ１〜Ｄｋの各項目データ、文献記憶装置３の特許データＤ１〜Ｄｋから抽出部１０ｂによって抜き出されたデータ、抽出条件を満たすデータ５ａ、抄録データＥ１〜Ｅｍの一部又は全部、解析結果記憶装置６に記憶されている解析結果データ６ａは、カードデータとしてそれぞれ独立して取り扱い可能であるとし、表示制御部１０ｄは、表示条件を満たす形式で、このカードデータを組み合わせて表示装置８に表示させる。
【００３８】
データ追加部１０ｅは、入力装置６の操作内容に応じて、例えばメモデータ、パテントマップデータの記憶指示などを入力し、ユーザが抄録記憶装置４に追加しておきたいデータを、抄録記憶装置４の他のデータと関連付けて記憶する。
【００３９】
以下に、解析部１０ｃによる解析処理の具体例について説明する。
【００４０】
図２は、ある技術分野に属する特許データに基づいて、この技術分野における出願件数（特許件数でもよい）と出願人数（権利者数でもよい）と時間との関係を表した解析結果データの一例を示すグラフである。
【００４１】
この図２のマップでは、第１の軸を出願件数とし、第２の軸を出願人数とし、各時点の出願件数と出願人数とにしたがって点をプロットし、このプロットされた点を時系列に線で結んでいる。
【００４２】
通常、ある技術分野が生まれると、出願件数は出願人数とともに変化する。しかしながら、ある時期に、出願件数は伸びていないが出願人数が増加したり、出願人数は変化していないが出願件数が増加するなどの現象が現れる。この図２のマップではこのような現象を視覚的に把握することができる。
【００４３】
この図２のマップでは、出願人数と出願件数とが共に増加する時期を「発展期」、出願人数と出願件数とのうち少なくとも一方があまり変化しない時期を「停滞期」又は「成熟期」、出願人数と出願件数とが共に減少する時期を「退潮期」、再度、出願人数と出願件数とが共に増加する時期を「復活期」としている。
【００４４】
図３は、ある技術分野に属する特許データに基づいて、この技術分野における出願件数（特許件数でもよい）と出願伸び率（特許件数伸び率でもよい）と時間との関係を表した解析結果データの一例を示すグラフである。
【００４５】
この図３のポートフォリオでは、第１の軸を出願件数とし、第２の軸を出願伸び率とし、各時点の出願件数と出願伸び率とにしたがって点をプロットし、このプロットされた点を時系列に線で結んでいる。
【００４６】
出願伸び率は、例えば、（ある期間の出願件数−ある期間の直前の期間の出願件数）／（ある期間の直前の期間の出願件数）、により計算する。特許件数伸び率も同様に、（ある期間の特許件数−ある期間の直前の期間の特許件数）／（ある期間の直前の期間の特許件数）、により計算する。
【００４７】
プロットされた点の大きさは、例えば、累積の出願件数、累積の特許件数などのような情報に比例する。
【００４８】
この図３においては、縦軸を出願伸び率とし、横軸を出願件数としている。また、出願伸び率０を第１の境界とし、出願件数の所定のしきい値を第２の境界とする。そして、左上領域を「成長」、右上領域を「発展」、右下領域を「成熟」、左下領域を「衰退」として、この技術分野がどのようなフェーズであるかを視覚的に把握可能としている。
【００４９】
図４は、特定のグループ（技術分野、事業担当部門、出願人）について、出願件数（特許件数でもよい）とその特許データの識別情報とを、時系列にそって配置した図である。
【００５０】
この図４のフィッシュボーン図に示されている特許データの識別情報のいずれかがクリックされると、このクリックされた識別情報の示す特許データの所定の項目データが表示装置８に表示される。
【００５１】
図５は、本実施の形態に係る抄録作成部１０ａによる抄録作成処理の例を示すフローチャートである。この図５では、分類された特許データＤ１〜Ｄｋから抄録データＥ１〜Ｅｍが作成され、抄録記憶装置４に記憶されるまでの手順が説明されている。
【００５２】
ステップＳ１において、抄録作成部１０ａは、あるグループに属する特許データの中から、抄録作成条件を満たす又は所定の項目データを抽出する。
【００５３】
ステップＳ２において、抄録作成部１０ａは、抽出された項目データをどの特許データから抽出されどのグループに所属するか把握可能な状態でリンクし、抄録データとして抄録記憶装置４に記憶する。
【００５４】
ステップＳ３において、処理を継続するか否かが判断され、継続する場合には上記ステップＳ１以下の処理が繰り返され、継続しない場合には処理が終了される。
【００５５】
図６は、本実施の形態に係る専用ブラウザ１０による解析処理の一例を示すフローチャートである。
【００５６】
ステップＴ１において、解析部１０ｂは、入力装置７から解析条件を入力し、解析処理を開始する。
【００５７】
ステップＴ２において、抽出部１０ｂは、解析処理に必要とされるデータが抄録記憶装置４に記憶されているか判断する。
【００５８】
解析処理に必要とされるデータが抄録記憶装置４に記憶されている場合、ステップＴ３ａにおいて、抽出部１０ｂは、解析処理に必要とされるデータ５ｂを抄録記憶装置４から読み出し、抽出記憶装置５に記憶する。
【００５９】
続いて、ステップＴ４ａにおいて、解析部１０ｃは、解析条件と、抽出記憶装置５の解析処理に必要とされるデータ５ｂとに基づいて解析処理を実行し、解析結果データ６ａを解析結果記憶装置６に記憶する。
【００６０】
一方、解析処理に必要とされるデータが抄録記憶装置４に記憶されていない場合、ステップＴ３ｂにおいて、抽出部１０ｂは、解析処理に必要とされるデータ５ｂを文献記憶装置３から読み出し、抽出記憶装置５に記憶する。
【００６１】
続いて、ステップＴ４ｂにおいて、抽出部１０ｂは、この解析処理に必要とされるデータ５ｂを同グループに属する抄録データと関連付けて又は組み合わせて抄録記憶装置４に記憶し、解析部１０ｃは、解析条件と、抽出記憶装置５の解析処理に必要とされるデータ５ｂとに基づいて解析処理を実行し、解析結果データ６ａを解析結果記憶装置６に記憶する。
【００６２】
ステップＴ５において、表示制御部１０ｄは、解析結果記憶装置６に記憶されている解析結果データ６ａを表示装置７に表示する。
【００６３】
ステップＴ６において、処理を継続するか否かが判断され、継続する場合には上記ステップＴ１以下の処理が繰り返され、継続しない場合には処理が終了される。
【００６４】
図７は、本実施の形態に係る専用ブラウザ１０による抽出処理の一例を示すフローチャートである。例えば、検索キーワードが入力された場合や、上記解析結果データ６ａの表示画面においていずれかのマーク又は識別情報がクリックされた場合に、この入力内容に応じたデータ抽出が実行される。
【００６５】
ステップＵ１において、抽出部１０ｂは、入力装置７から抽出条件を入力し、抽出処理を開始する。
【００６６】
ステップＵ２において、抽出部１０ｂは、抽出条件を満たすデータが抄録記憶装置４に記憶されているか判断する。
【００６７】
抽出条件を満たすデータが抄録記憶装置４に記憶されている場合、ステップＵ３ａにおいて、抽出部１０ｂは、抽出条件を満たすデータ５ａを抄録記憶装置４から読み出す。
【００６８】
続いて、ステップＵ４ａにおいて、抽出部１０ｂは、抽出条件を満たすデータ５ａを抽出記憶装置５に記憶する。
【００６９】
一方、抽出条件を満たすデータが抄録記憶装置４に記憶されていない場合、ステップＵ３ｂにおいて、抽出部１０ｂは、抽出条件を満たすデータ５ａを文献記憶装置３から読み出す。
【００７０】
続いて、ステップＵ４ｂにおいて、抽出部１０ｂはこの抽出条件を満たすデータ５ａを同グループに属する抄録データと関連付けて又は組み合わせて抄録記憶装置４に記憶し、抽出条件を満たすデータ５ａを抽出記憶装置５に記憶する。
【００７１】
ステップＵ５において、表示制御部１０ｃは、抽出記憶装置５に記憶されている抽出条件を満たすデータ５ａを表示装置８に表示する。
【００７２】
ステップＵ６において、処理を継続するか否かが判断され、継続する場合には上記ステップＵ１以下の処理が繰り返され、継続しない場合には処理が終了される。
【００７３】
以上説明した本実施の形態においては、特許データＤ１〜Ｄｋに基づいて、技術分野、事業部、出願人などの各グループＧ１〜Ｇｍに対して様々な解析条件で解析を行うことができる。また、各グループＧ１〜Ｇｍの間で解析結果を比較することができる。これにより、ユーザは、解析結果を参考にして事業戦略、特許戦略を組み立てることができる。
【００７４】
本実施の形態では、ユーザが望む解析結果及び抽出結果（検索結果）を表示することができ、特許データＤ１〜Ｄｋを様々な観点から調査することができる。
【００７５】
本実施の形態では、予め特許データＤ１〜Ｄｋが分類されているため、検索漏れ及び検索結果に不要な結果が含まれることを防止することができる。
【００７６】
本実施の形態では、特許分野の専門家、一般の研究者、開発者のいずれであっても容易に特許データＤ１〜Ｄｋを検索・解析し有益な情報を利用することができる。
【００７７】
本実施の形態により、特許データＤ１〜Ｄｋの解析を効果的に行うことができ、各技術分野の動向を示す極めて有効な情報を得ることができる。
【００７８】
本実施の形態では、専用ブラウザ１０がいずれの項目のデータ形式も取り扱い可能であるため、解析中に他ツールを起動させるなどの手間がなく解析結果及び抽出結果の観察を容易かつ迅速に行うことができる。
【００７９】
本実施の形態では、抄録記憶装置４の記憶内容を追加可能であり、ユーザ固有のカスタマイズされたデータを保存及び表示できる。これにより、データ検索を効率化させることができ、利用する程に抄録記憶装置４に記憶されているデータの充実を図ることができる。
【００８０】
本実施の形態によって得られる解析結果を観察することにより、ユーザは、どの技術分野及びどの事業担当部門で特許出願を増やすべきか容易に判断可能であり、特許権を得るための労力及び費用の割り振りを容易に決定することができる。
【００８１】
（第２の実施の形態）
本実施の形態では、上記第１の実施の形態に係る技術文献管理装置１と同様の動作をクライアント・サーバ・システムで実現する場合の一例について説明する。
【００８２】
図８は、本実施の形態に係る技術文献管理システムの一例を示すブロック図である。
【００８３】
技術文献管理システム１１は、サーバ１２と、このサーバ１２とネットワーク１３経由で通信可能に接続されているクライアント１４１〜１４ｎとを具備する。
【００８４】
サーバ１２とクライアント１４１〜１４ｎとは、同じ事業者により管理されていてもよく、異なる事業者に管理されていてもよい。サーバ１２とクライアント１４１〜１４ｎとが同じ事業者によって管理されている場合、ネットワーク１３としては例えばＬＡＮ（Local Area Network）を用いることができ、異なる事業者によって管理されている場合、ネットワーク１３としては例えばインターネットを用いることができる。サーバ１２を管理する事業者はクライアント１４１〜１４ｎを管理する事業者に対して、ＡＳＰ（Application Service Provider）サービスを提供するとしてもよい。
【００８５】
サーバ１２は、文献記憶装置３、サーバ側抄録記憶装置１５、プログラム記憶装置１６、演算部１７、入力装置１８、出力装置１９を具備し、記録媒体２０に記録されている技術文献管理プログラム２０ａを読み出し、実行する。
【００８６】
技術文献管理プログラム２０ａは、サーバ１２に読み込まれ、演算部１７によってその内容が実行されることにより、ユーザ管理部２１、抄録作成部１０ａ、サーバ側伝送部２２として機能する。
【００８７】
また、技術文献管理プログラム２０ａの一部である専用ブラウザ２３は、プログラム記憶装置１６に記憶される。
【００８８】
本実施の形態において、特許データＤ１〜Ｄｋは、例えば、技術分野（技術テーマ）、事業担当部門名、特許データに関する特許出願を行った出願人（例えば会社名）に基づいて複数のグループＧ１〜Ｇｍに分類され、文献記憶装置３に記憶されている。この分類については、クライアント１４１〜１４ｎ側のユーザの要望に応じてクライアント１４１〜１４ｎ側のユーザの視点で行われている。
【００８９】
クライアント１４１〜１４ｎは、コンピュータであり、例えばマウス、キーボードなどの入力装置２４、例えばＣＲＴ、液晶ディスプレイなどの表示装置２５、プログラムメモリ２６、演算部２７、クライアント側抄録記憶装置２８、抽出記憶装置５、解析結果記憶装置６などを具備する。
【００９０】
以下、クライアント１４１〜１４ｎについては、クライアント１４１を代表に用いて説明する。
【００９１】
サーバ１２からクライアント１４１に専用ブラウザ２３がダウンロードされると、この専用ブラウザ２３はクライアント１４１のプログラムメモリ２６に記憶され、演算部２７によってその内容に応じた処理が実行される。
【００９２】
クライアント１４１は、例えばＷｅｂブラウザなどにより、クライアント側伝送部２９としての機能を実現する。
【００９３】
専用ブラウザ２３は、演算部２７によってその内容が実行されることにより、クライアント１４１に、上記抽出部１０ｂ、解析部１０ｃ、表示制御部１０ｄ、データ追加部１０ｅとしての機能を実現させる。
【００９４】
以下に、サーバ１２の各要素について個別に説明する。
【００９５】
図９は、サーバ１２の文献記憶装置３のデータ記憶状態の一例を示す図である。
【００９６】
インデックスデータ３０は、各特許データＤ１〜Ｄｋが、グループＧ１〜Ｇｍのうちいずれのグループに属するかを表すデータである。
【００９７】
具体的には、このインデックスデータ３０は、各特許データＤ１〜Ｄｋの識別データと、この各特許データＤ１〜Ｄｋの属するグループの識別データとを関連付けている。
【００９８】
インデックスデータ３０における各特許データＤ１〜Ｄｋの識別データは、実体である特許データＤ１〜Ｄｋとリンクされている。
【００９９】
したがって、グループＧ１〜Ｇｍのうちのいずれかが指定されると、この指定されたグループに属する特許データを得ることができる。
【０１００】
各特許データＤ１〜Ｄｋは、書誌情報、発明の名称、特許請求の範囲、発明の詳細な説明、要約、図面、審査経過情報などの複数の項目にしたがって記述されている。
【０１０１】
なお、各特許データＤ１〜Ｄｋは、それぞれの項目ごとに分離された状態であり、この分離された項目データが互いに関係付けされているとしてもよい。ある項目データから他の項目データへの遷移は、ハイパーリンクにより行われるとしてもよい。
【０１０２】
上記図８において、サーバ側抄録記憶装置１５は、抄録作成部１０ａによって作成された初期の抄録データＥ１〜Ｅｍを記憶する。
【０１０３】
プログラム記憶装置１６は、クライアント１４１にダウンロードされ、クライアント１４１における特許データの解析、抽出（検索に相当）、表示に用いられる専用ブラウザ２３を記憶する。この専用ブラウザ２３は、上記第１の実施の形態に係る専用ブラウザ１０とほぼ同様であるが、抄録作成部１０ａを具備しない点が異なる。なお、本実施の形態において、専用ブラウザ１０を用い、演算部１７は抄録作成部１０ａを具備していない構成を採用してもよい。この場合、初期の抄録の作成は、クライアント１４１にダウンロードされた専用ブラウザ１０により実現される。
【０１０４】
ユーザ管理部２１は、ユーザＩＤとパスワードとによりユーザの識別を行い、権限を有するユーザに対してのみ以後の処理を許可する。
【０１０５】
抄録作成部１０ａは、クライアント１４１からサーバ側伝送部２２経由で抄録作成条件を受け付け、抄録作成条件に基づいて抄録データを作成し、サーバ側抄録記憶装置１５に記憶する。
【０１０６】
サーバ側伝送部２２は、クライアント１４１のクライアント側伝送部２９から専用ブラウザ２３のダウンロード要求を受け付けた場合に、プログラム記憶装置１６に記憶されている専用ブラウザ２３をクライアント１４１のクライアント側伝送部２９に送信する。
【０１０７】
サーバ側伝送部２２は、クライアント１４１のクライアント側伝送部２９から抄録作成条件を受け付けた場合に、この抄録作成条件を抄録作成部１０ａに提供し、この結果作成され記憶された抄録データをサーバ側抄録記憶装置１５から読み出し、クライアント１４１に送信する。
【０１０８】
サーバ側伝送部２２は、クライアント１４１とサーバ１２との間のアクセスを中継する。
【０１０９】
以下に、クライアント１４１の各要素について個別に説明する。
【０１１０】
クライアント側伝送部２９は、入力装置２４を操作するユーザから、まずサーバ１２へのアクセス要求を受け付け、サーバ１２をアクセスする。
【０１１１】
すると、クライアント側伝送部２９は、このアクセスによりサーバ１２から取得したＷｅｂデータに基づいて図１０に示すようなログイン画面を表示装置２５に表示する。
【０１１２】
次に、クライアント側伝送部２９は、入力装置２４を操作するユーザから、ログイン画面に対するユーザＩＤとパスワードの入力を受け付け、この入力されたユーザＩＤとパスワードとをサーバ１２のユーザ管理部２１に提供する。
【０１１３】
ユーザ管理部２１によるユーザ認証の結果その後の処理が許可された場合、クライアント側伝送部２９は、サーバ１２のサーバ側伝送部２２から取得したＷｅｂデータに基づいて図１１に示すような専用ブラウザ２３のダウンロードを促す画面を表示装置２５に表示する。
【０１１４】
クライアント側伝送部２９は、入力装置２４を操作するユーザから、専用ブラウザ２３のダウンロードを要求する旨の指定を受け付けると、サーバ１２のサーバ側伝送部２２に、専用ブラウザ２３のダウンロード要求を提供する。
【０１１５】
そして、クライアント側伝送部２９は、サーバ１２のサーバ側伝送部２２から専用ブラウザ２３を受け付けると、このダウンロード後の専用ブラウザ２３をプログラムメモリ２６に記憶する。
【０１１６】
ダウンロード後の専用ブラウザ２３は、クライアント１４１において初期的に起動されると、図１２に示すような抄録データの作成を要求する画面（抄録作成条件の入力画面）を表示装置２５に表示する。
【０１１７】
専用ブラウザ２３は、入力装置２４を操作するユーザから、作成したい抄録データのグループ及び項目の指定（抄録作成条件）を受け付けると、クライアント側伝送部２９、サーバ側伝送部２２経由で、抄録作成部１０ａに作成したい抄録データのグループ及び項目の指定（抄録作成条件）を提供する。
【０１１８】
この結果、抄録作成部１０ａにより、抄録データが作成される。図１３は、抄録データ（ＰＴＬファイル）の作成指示の入力画面であり、図１４は、作成された抄録データのダウンロードを指示するための画面である。
【０１１９】
専用ブラウザ２３は、ダウンロードされた抄録データをクライアント側抄録記憶装置２８に記憶する。
【０１２０】
専用ブラウザ２３は、図１５に示すような検索指示（抽出条件）の入力を促す画面を表示装置２５に表示する。
【０１２１】
そして、専用ブラウザ２３は、入力装置２４を操作するユーザから、検索指示を受け付け、検索処理（抽出処理）を実行する。
【０１２２】
さらに、専用ブラウザ２３は、検索後に、さらに絞り込み検索を行う場合に、図１６又は図１７に示すような絞り込み検索の検索指示を促す画面を表示装置２５に表示する。
【０１２３】
そして、専用ブラウザ１１は、入力装置２４を操作するユーザから、絞り込み検索の検索指示を受け付ける。
【０１２４】
専用ブラウザ２３は、ユーザに指定された検索指示の内容又は絞り込み検索の検索指示の内容に基づいて、上記第１の実施の形態で説明した抽出処理を実行する。ここで、専用ブラウザ２３は、抽出条件を満たすデータがクライアント側抄録記憶装置２８に記憶されている場合には、クライアント側抄録記憶装置２８からデータを読み出す。文献記憶装置３に記憶されているデータが必要な場合には、専用ブラウザ２３は、クライアント側伝送部２９及びサーバ側伝送部２２経由で文献記憶装置３をアクセスする。
【０１２５】
専用ブラウザ２３は、上記図１５，１６の画面上で、入力装置２４を操作するユーザによって「Layout表示」が指定された場合、図１８に示す抽出結果表示画面を表示装置２５に表示する。
【０１２６】
図１９は、抽出結果データの表示画面の第１例を示す図である。
【０１２７】
本実施の形態においては、複数の表示用フォーマットが設定されており、ユーザはこの表示用フォーマットを選択してデータを閲覧できる。また、この表示用フォーマットは、ユーザにより自由に設定可能である。表示対象となる各データは、カードデータとして自由に組み合わせ可能である。縦方向に各特許出願案件が配置され、横方向にそれぞれ「番号・日付／出願人」「分類／発明者」「発明の名称／請求の範囲などの実体データ」が配置される。
【０１２８】
図２０は、抽出結果データの表示画面の第２例を示す図である。
【０１２９】
この図２０では、抽出結果データが公報形式で表示されている。
【０１３０】
図２１は、抽出結果データの表示画面の第３例を示す図である。
【０１３１】
この図２１では、抽出結果データが専用ブラウザ２３に設定されている独自のデータ形式で表示されている。ある特許出願案件の書誌情報、分類、要約が配置されている
図２２は、抽出結果データの表示画面の第４例を示す図である。
【０１３２】
この図２２では、抽出結果データが、書誌情報、発明者、要約、図面を掲載する専用ブラウザ２３独自のデータ形式で表示されている。縦方向に各特許出願案件が配置され、横方向にそれぞれ「番号・日付／出願人」「分類／発明者」「要約」「図面」が配置される。
【０１３３】
図２３は、審査経過情報の表示画面の第１例を示す図であり、審査、登録、審判などの経過記録が表示されている。
【０１３４】
図２４は、審査経過情報の表示画面の第２例を示す図であり、審査、登録、審判、異議申立などの経過記録が表示されている。
【０１３５】
さらに、専用ブラウザ２３は、各種の解析結果データの表示を行う。
【０１３６】
解析部１０ｃは、入力装置２４を操作するユーザに対して解析条件の指定を促す画面を表示装置２７に表示する。
【０１３７】
図２５は、解析条件の指定を促す画面の第１例を示す図である。
【０１３８】
この図２５の画面は、ｘ軸及びｙ軸にどの項目を配置するかを指定し、これにより指定された項目に関するグラフを表示する場合に用いられる。
【０１３９】
図２６は、解析条件の指定を促す画面の第２例を示す図である。
【０１４０】
この図２６の画面は、解析対象となるデータを指定するために用いられるマトリックス状の補助画面である。
【０１４１】
解析部１０ｃは、ユーザによって指定された解析条件に基づいて、抄録データや特許データを用いた解析を実行する。
【０１４２】
この解析部１０ｃによる解析の例としては、各種のグラフ作成が上げられる。解析部１０ｃによる解析結果は、表示制御部１０ｄによって表示装置２５に表示される。
【０１４３】
解析結果の表示画面の具体例としては、棒グラフ、３Ｄ線グラフ、円グラフ、レーダグラフ、円柱グラフ、折線グラフ、横棒グラフ、百分率グラフ、複合グラフ、ポートフォリオグラフ、ライフサイクルグラフ、泡グラフなどがある。
【０１４４】
図２７は、解析部１０ｃによる解析結果の表示例である。
【０１４５】
この図２７では、各社の出願件数、公開件数、審査請求件数、登録件数を表す複合グラフが表示されている。
【０１４６】
さらに、専用ブラウザ２３のデータ追加部１０ｅを用いて、抄録データの一部や特許データの一部を組み合わせてパテントマップを作成することができる。
【０１４７】
図２８は、パテントマップの表示画面の一例を示す図である。
【０１４８】
この図２８では、ある発明の図面に対して、関連する他の発明の「発明の名称」、「出願番号」、「公開番号」、「出願人」、「図面」が配置されている。各種のカードデータを組み合わせて作成される。
【０１４９】
以下において、本実施の形態に係る技術文献管理システム１１の動作について説明する。
【０１５０】
図２９は、技術文献管理システム１１によって実施されるデータ解析処理及びデータ抽出処理の一例を示すフローチャートである。
【０１５１】
ステップＶ１において、サーバ１２は、特許データＤ１〜Ｄｋを複数のグループに分類して記憶するとともに、専用ブラウザ２３をプログラム記憶装置１６に記憶する。
【０１５２】
ステップＶ２において、クライアント１４１は、専用ブラウザ２３のダウンロードをサーバ１２に要求する。
【０１５３】
ステップＶ３において、サーバ１２からクライアント１４１への専用ブラウザ２３のダウンロードが実行される。
【０１５４】
ステップＶ４において、クライアント１４１は、ダウンロードされた専用ブラウザ２３を起動する。
【０１５５】
ステップＶ５において、クライアント１４１は、抄録作成条件となるグループと項目との指定を受け付ける。
【０１５６】
ステップＶ６において、サーバ１２は、ユーザに指定されたグループに属し、ユーザに指定された項目に関する抄録データを、クライアント１４１にダウンロードする。
【０１５７】
ステップＶ７において、クライアント１４１は、ダウンロードされた抄録データを記憶する。
【０１５８】
ステップＶ８において、クライアント１４１は、各種ユーザの操作・要求を受け付ける。例えば、ダウンロードされた抄録データの表示要求、検索の要求、特許データに含まれている他の項目データのダウンロードの要求、審査経過情報の取得及び表示要求、解析の要求、ユーザによって作成された追加データの記憶要求が受け付けられる。
【０１５９】
ステップＶ９において、クライアント１４１は、ユーザの操作・要求に応じて処理を実行する。例えば、表示処理、抽出処理、特許データに含まれている他の項目データのダウンロード、審査経過情報の取得及び表示処理、解析処理、クライアント側抄録記憶装置２８へのデータの記憶処理が実行される。
【０１６０】
ステップＶ１０において、ユーザの操作・要求が継続されるか否か判断される。
【０１６１】
ユーザの操作・要求が継続される場合、上記ステップＶ８，Ｖ９が繰り返される。
【０１６２】
ユーザの操作・要求が継続されない場合、処理は終了する。
【０１６３】
以上説明した本実施の形態に係る技術文献管理システム１１においては、特許データＤ１〜Ｄｋが予め分類されているため、特許分野の専門家のみならず一般の研究者、開発者であっても容易かつ効率的に技術文献の検索を行うことができる。
【０１６４】
すなわち、複雑な検索式を用いることなく、必要なデータの検索漏れを防止することができ、また不要なデータが検索結果に含まれることを防止でき、検索精度を向上させることができる。
【０１６５】
また、所定のグループの所定の項目についてクライアント１４１のクライアント側抄録記憶装置２８にデータを保存することにより、データ抽出速度（検索速度）を向上させることができる。
【０１６６】
また、クライアント１４１側には必要に応じて必要なデータのみを記憶させるため、ネットワーク１３の通信容量、クライアント１４１のデータ記憶容量の増加を防止できる。クライアント側抄録記憶装置２８に記憶されているデータは使用を重ねることで充実させることができる。
【０１６７】
本実施の形態に係る技術文献管理システム１１を用いることにより、特許データＤ１〜Ｄｋに対する調査、解析、さらにはパテント・ポートフォリオの構築までを、容易かつ効果的に行うことができる。
【０１６８】
本実施の形態では、知的財産関連の部署の職員のみでなく研究開発担当者でも容易に文献調査を行うことができる。すなわち、本実施の形態では、知的財産の知識が少ない者であっても容易に短時間で付加価値の高い情報を得ることができ、適切な技術文献にアクセスすることができる。また、これにより、技術者は本来の開発業務を効率的に行うことができる。
【０１６９】
本実施の形態に係る技術文献管理システム１１を用いることにより、質の高い創作活動、休眠特許の活用、製品の防衛等が可能になる。
【０１７０】
本実施の形態において、ユーザ管理部２１によりアクセスログを作成することができる。
【０１７１】
本実施の形態では、特許データＤ１〜Ｄｋの数が増加した場合であっても、別途サーバを増設することにより、柔軟にシステムを拡張できる。
【０１７２】
また、アクセス数の増加に対しても、別途サーバを増設することにより、柔軟にシステムを拡張できる。
【０１７３】
なお、本実施の形態に係る技術文献管理システム１１においては、Ｗｅｂ上で特許データＤ１〜Ｄｋの閲覧を可能としてもよい。
【０１７４】
上記各実施の形態で説明した技術文献管理プログラム９ａ，２０ａは、例えば磁気ディスク（フレキシブルディスク、ハードディスク等）、光ディスク（ＣＤ−ＲＯＭ、ＤＶＤ等）、半導体メモリなどの記録媒体に書き込んで、コンピュータに適用可能である。また、上記技術文献管理プログラム９ａ，２０ａは、通信媒体により伝送してそれぞれコンピュータに適用することも可能である。コンピュータは、技術文献管理プログラム９ａ，２０ａを読み込み、技術文献管理プログラム９ａ，２０ａによって動作が制御されることにより、上記の機能を実現する。
【０１７５】
本実施の形態において、ソフトウェアにより実現される機能は、ハードウェアによって実現されるとしてもよい。
【０１７６】
また、本実施の形態で説明した各構成要素は、同様の作用を実現可能であれば配置を変更させてもよく、また各構成要素を自由に組み合わせてもよく、いずれかの構成要素を削除してもよい。例えば、抽出条件を満たすデータ５ａと解析処理で必要とされるデータ５ｂとは、別の記憶装置に記憶されてもよい。各記憶装置は自由に組み合わせ、または分割することができる。
【産業上の利用可能性】
【０１７７】
本発明は、記録されている技術文献データを閲覧する分野に有効である。
【図面の簡単な説明】
【０１７８】
【図１】本発明の第１の実施の形態に係る技術文献管理装置の一例を示すブロック図。
【図２】特定の技術分野に属する特許データに基づいて、特定の技術分野における出願件数と出願人数と時間との関係を表した解析結果データの一例を示すグラフ。
【図３】特定の技術分野に属する特許データに基づいて、特定の技術分野における出願件数と出願伸び率と時間との関係を表した解析結果データの一例を示すグラフ。
【図４】特定のグループについて、出願件数とその特許データの識別情報とを時系列にそって配置した図。
【図５】第１の実施の形態に係る抄録作成部による抄録作成処理の例を示すフローチャート。
【図６】第１の実施形態に係る専用ブラウザによる解析処理の一例を示すフローチャート。
【図７】第１の実施形態に係る専用ブラウザによる抽出処理の一例を示すフローチャート。
【図８】本発明の第２の実施の形態に係る技術文献管理システムの一例を示すブロック図。
【図９】文献記憶装置のデータ記憶状態の一例を示す図。
【図１０】ログイン画面の一例を示す図。
【図１１】専用ブラウザのダウンロードを促す画面の一例を示す図。
【図１２】抄録データの作成を要求する画面の一例を示す図。
【図１３】抄録データの作成を指示するための画面の一例を示す図。
【図１４】抄録データのダウンロードを指示するための画面の一例を示す図。
【図１５】検索指示の入力を促す画面の一例を示す図。
【図１６】絞り込み検索の検索指示を促す画面の一例を示す図。
【図１７】データの数が多い場合に検索指示を促す画面の一例を示す図。
【図１８】抽出結果表示画面の一例を示す図。
【図１９】抽出結果データの表示画面の第１例を示す図。
【図２０】抽出結果データの表示画面の第２例を示す図。
【図２１】抽出結果データの表示画面の第３例を示す図。
【図２２】抽出結果データの表示画面の第４例を示す図。
【図２３】審査経過情報の表示画面の第１例を示す図。
【図２４】審査経過情報の表示画面の第２例を示す図。
【図２５】解析条件の指定を促す画面の第１例を示す図。
【図２６】解析条件の指定を促す画面の第２例を示す図。
【図２７】解析部による解析結果の表示例を示す図。
【図２８】パテントマップの表示画面の一例を示す図。
【図２９】第２の実施の形態に係る技術文献管理システムによって実施されるデータ解析処理及びデータ抽出処理の一例を示すフローチャート。
【符号の説明】
【０１７９】
１…技術文献管理装置、２，１７，２７…演算部、３…文献記憶装置、４…抄録記憶装置、５…抽出記憶装置、５ａ…抽出条件を満たすデータ、５ｂ…解析処理で必要とされるデータ、６…解析結果記憶装置、６ａ…解析結果データ、７，１８，２４…入力装置、８，１９，２５…表示装置、９，２０…記録媒体、９ａ，２０ａ…技術文献管理プログラム、１０，２３…専用ブラウザ、１０ａ…抄録作成部、１０ｂ…抽出部、１０ｃ…解析部、１０ｄ…表示制御部、１０ｅ…データ追加部、１１…技術文献管理システム、１２…サーバ、１３…ネットワーク、１４１〜１４ｎ…クライアント、１５…サーバ側抄録記憶装置、１６…プログラム記憶装置、２１…ユーザ管理部、２２…サーバ側伝送部、２６…プログラムメモリ、２８…クライアント側抄録記憶装置、２９…クライアント側伝送部、３０…インデックスデータ、Ｄ１〜Ｄｋ…特許データ、Ｇ１〜Ｇｍ…グループ
【図１】
2007102708.tif 000003
【図２】
2007102708.tif 000004
【図３】
2007102708.tif 000005
【図４】
2007102708.tif 000006
【図５】
2007102708.tif 000007
【図６】
2007102708.tif 000008
【図７】
2007102708.tif 000009
【図８】
2007102708.tif 000010
【図９】
2007102708.tif 000011
【図１０】
2007102708.tif 000012
【図１１】
2007102708.tif 000013
【図１２】
2007102708.tif 000014
【図１３】
2007102708.tif 000015
【図１４】
2007102708.tif 000016
【図１５】
2007102708.tif 000017
【図１６】
2007102708.tif 000018
【図１７】
2007102708.tif 000019
【図１８】
2007102708.tif 000020
【図１９】
2007102708.tif 000021
【図２０】
2007102708.tif 000022
【図２１】
2007102708.tif 000023
【図２２】
2007102708.tif 000024
【図２３】
2007102708.tif 000025
【図２４】
2007102708.tif 000026
【図２５】
2007102708.tif 000027
【図２６】
2007102708.tif 000028
【図２７】
2007102708.tif 000029
【図２８】
2007102708.tif 000030
【図２９】
2007102708.tif 000031